(57)【要約】  【課題】  雨水により不快感を覚えることを抑制できる傘を提案する。  【解決手段】  傘布１９の外側面には、第２シート部２３が設けられている。第２シート部２３と傘布１９とによって、第３開口３７有し、少なくとも傘を閉じた状態雨水を一時的に受ける第２水受け部５３が形成される。傘１を閉じて石突１３を下にしたとき、傘布１９の外縁から中心方向に向かって流れる雨水は、第３開口３７から第２水受け部５３に流入する。【選択図】図１
2016123726.tif 000002
【特許請求の範囲】
【請求項１】
傘軸と、前記傘軸に一端が連結される複数の親骨と、前記親骨に張り付けられている傘布と、を有し、開閉可能に構成された傘であって、
前記傘布に設けられ、前記傘布の表面を流れる水を受ける水受け部を備える
ことを特徴とする傘。
【請求項２】
前記水受け部は、前記傘軸を中心とする円周方向に長さを有し、前記傘布の外縁から前記傘布における前記傘軸の周辺に向かって流れる水を前記水受け部に流入させる開口を有する
ことを特徴とする請求項１に記載の傘。
【請求項３】
前記水受け部は、前記開口の主たる部分が、前記傘布における、前記傘軸の側の端部と外縁側の端部との中央よりも前記傘軸の側の領域に設けられる
ことを特徴とする請求項２に記載の傘。
【請求項４】
前記水受け部は、
前記傘軸を中心とする円周方向に長さを有し、前記傘布の外縁に向かって流れる水を当該水受け部に流入させる第１開口と、
前記第１開口から前記水受け部に流入した水を当該水受け部の外に流出させる第２開口と、を有する
ことを特徴とする請求項１に記載の傘。
【請求項５】
前記水受け部は、前記第１開口の主たる部分が、前記傘布における、前記傘軸の側の端部と外縁側の端部との中央よりも前記外縁側の領域に設けられる
ことを特徴とする請求項４に記載の傘。
【請求項６】
前記水受け部は、前記傘布と、該傘布に取り付けられるシート状の部材と、を有しており、
前記傘布における当該水受け部を構成する領域と、前記前記シート状の部材における前記水受け部を構成する領域と、は、前記傘軸を中心とする円周方向の長さが異なる
ことを特徴とする請求項１から請求項５のいずれか１項に記載の傘。
【発明の詳細な説明】
【技術分野】
【０００１】
本発明は、傘であって、特に雨天時に用いる傘に関する。
【背景技術】
【０００２】
傘に付着した雨は傘布の表面を流れるため、それによる不都合を生じることがある。例えば雨天時に傘を差していると、傘布の外縁全体から水が流れ落ちるため、使用者は傘から流れ落ちる水を避けることが難しく、その水によって服や荷物が濡れてしまいやすくなる。また例えば傘布部分に付着した水滴が、傘を閉じたときに下方に滴り落ち、店舗や車両の床などを濡らしてしまう恐れがある。
【０００３】
従来、使用した傘を入れる傘袋が提案されている（例えば特許文献１参照）。傘袋に傘を入れると、傘袋内に雨水が溜まるため傘に付着した雨水が流れ出すことを抑制できる。
【先行技術文献】
【特許文献】
【０００４】
【特許文献１】実用新案登録第３１７８３２７号公報
【発明の概要】
【発明が解決しようとする課題】
【０００５】
傘を差しているときに、傘布の外縁全体から水が流れ落ちることを抑制する傘は従来存在しなかった。
また上記特許文献１に記載のような傘袋を用いる場合、傘を差すときには傘袋は不要であるため持ち歩く必要があり、また傘を閉じたときに濡れた傘に袋をかぶせる必要があり、不便であった。
【０００６】
即ち、従来は、簡便に傘布表面を流れる水を制御することができる傘が存在せず、雨水により不快感を覚えることがあった。
本発明の目的は、雨水により不快感を覚えることを抑制できる傘を提案することである。
【課題を解決するための手段】
【０００７】
請求項１に記載の発明は、傘軸と、前記傘軸に一端が連結される複数の親骨と、前記親骨に張り付けられている傘布と、を有し、開閉可能に構成された傘であって、前記傘布に設けられ、前記傘布の表面を流れる水を受ける水受け部を備えることを特徴とする傘である。
【０００８】
このように構成された傘は、傘布の表面を流れる水を水受け部にて受けることができるため、従来の傘と比較して水の流れを制御することができ、傘の使用者が雨水により不快感を覚えてしまうことを抑制できる。
【０００９】
ところで、上述した水受け部は、いわゆる雨樋のように構成することができる。例えば前記水受け部は、前記傘軸を中心とする円周方向に長さを有し、前記傘布の外縁に向かって流れる水を当該水受け部に流入させる第１開口と、前記第１開口から前記水受け部に流入した水を当該水受け部の外に流出させる第２開口と、を有するように構成されていてもよい。
【００１０】
このように構成された傘では、傘を差して使用するときに傘布の表面を流れる水が、第１開口から水受け部に流入して第２開口から流出する。水の流出する場所が第２開口に制限されているため、使用者は傘から滴る水を避けることが容易になり、服や荷物などが濡れてしまうことを抑制できる。
【００１１】
なお第１開口は、傘布の中心側（傘軸側）を向くように構成することが考えられる。このような形状とすることで、傘布の中心から外縁方向に流れる水が自然に第１開口に流れ込むこととなる。
【００１２】
また、第１開口及び第２開口の数は特に限定されない。第１開口は複数設けられていてもよく、第１開口全体として上述した円周方向に広く配置されていることが好ましい。また第２開口も複数設けられていてもよいが、第２開口の数を少なくするほど水の流出する箇所が少なくできる。
【００１３】
また、前記水受け部は、前記第１開口の主たる部分が、前記傘布における、前記傘軸の側の端部と外縁側の端部との中央よりも前記外縁側の領域に設けられるように構成されていてもよい。
【００１４】
傘を差しているとき、第１開口よりも外縁側に付着した雨水は、そのまま外縁に向かって流れるため第１開口へ流入することが困難である。よって上述したように構成された傘では、第１開口が傘布における外縁寄りの位置に配置されることから、第１開口へ流入可能な水が付着する傘布の範囲を大きくすることができる。
【００１５】
なお、第１開口をなるべく外縁部に近い位置に設けることで、傘布における上述した範囲の割合を大きくできる。
ところで、上述した請求項１に記載の傘において、前記水受け部は、前記傘軸を中心とする円周方向に長さを有し、前記傘布における前記傘軸の周辺に向かって流れる水を前記水受け部に流入させる開口を有するように構成してもよい。
【００１６】
このように構成された傘では、傘を差した後、石突を下にした状態において、傘布の表面を流れる水が開口から水受け部に流入する。よって、傘布を流れる水の一部を水受け部で受けることによって傘から滴る水の量を低減することができ、床などが濡れてしまうことを抑制できる。
【００１７】
なお上述した開口は、傘布の外縁側を向くように構成することが考えられる。このような形状とすることで、傘布の外縁から中心に向かって流れる水が自然に開口に流れ込むこととなる。
【００１８】
また、前記水受け部は、前記開口の主たる部分が、前記傘布における、前記傘軸の側の端部と外縁側の端部との中央よりも前記傘軸の側の領域に設けられるように構成されていてもよい。
【００１９】
傘を閉じて石突を下にしているとき、上述した開口よりも傘軸の側（下側）に付着している雨水は、開口へ流入することが困難である。よって上述したように構成された傘では、開口が傘布における傘軸寄りの位置に配置されることから、開口へ流入可能な水が付着する傘布の範囲を大きくすることができる。
【００２０】
なお、開口をなるべく傘軸に近い位置、例えば傘軸の周辺部に設けることで、傘布における上述した範囲の割合を大きくできる。
ところで、前記水受け部は、前記傘布と、該傘布に取り付けられるシート状の部材と、を有しており、前記傘布における当該水受け部を構成する領域と、前記前記シート状の部材における前記水受け部を構成する領域と、は、前記傘軸を中心とする円周方向の長さが異なるように構成されていてもよい。
【００２１】
このように構成された傘では、水受け部を傘布とシート状の部材とで構成するため、傘布に大きな構造物を設ける必要がなくなる結果、シート状の部材が無い場合と同様に傘を閉じたときに小さくまとめることができ、また、美観を損なわれてしまうことも抑制できる。
【００２２】
また、水受け部を構成する傘布とシート状の部材との円周方向の長さを異ならせることで、シート状の部材が傘布にぴったりとくっついてしまうことを抑制でき、水が流入するための開口が閉じてしまうことを抑制できる。
【００２３】
ところで、傘を差した後は、水が滴り落ちるか否かに関らず、傘布が濡れていることにより周囲を濡らしてしまいやすいという問題がある。傘を持ち歩く際には服に接触する恐れがある。また電車やバス、店舗内などで座るときには、使用者は傘の握柄を掴まずに壁などに凭れかけておくことが多く、傘が転倒しやすいため傘布が服などに接触しやすくなる。
【００２４】
特にこのような問題点に鑑みてなされた本発明の別の態様の傘は、傘軸と、前記傘軸を中心に放射状に配置される複数の親骨と、前記親骨に張り付けられている傘布と、を有し、開閉可能に構成された傘であって、以下の特徴を有する。
【００２５】
この傘は、前記傘布の外側面に設けられるシート状の部材である被覆部と、当該傘を閉じた状態において、前記被覆部が前記傘布の少なくとも一部を覆う状態にて前記被覆部を保持する保持手段と、を備えることを特徴とする。
【００２６】
このように構成された傘は、保持手段により被覆部が保持されるときは、傘を差したときには内側を向いていた面を外側にして傘布を覆うことができる。被覆部における内側を向いていた面は雨により濡れることが抑制されているため、その面を外側にすることで傘布の濡れている部分を覆い隠すことができ、傘布が服などに接触して濡れてしまうことを抑制できる。
【００２７】
保持手段としては、例えば面ファスナを用いることができる。被覆部と傘布の所定の位置に面ファスナを配置して、被覆部を傘布に固定することが考えられる。
【図面の簡単な説明】
【００２８】
【図１】第１実施形態の傘であって、傘を開いた状態を示す平面図である。
【図２】第１実施形態の傘であって、傘を開いた状態を示す側面図である。
【図３】第１実施形態の傘であって、傘を閉じた状態を示す側面図である。
【図４】第４シート部により傘を覆った状態を説明する側面図である。
【図５】図５（Ａ）が図３のＡ−Ａ断面図であり、図５（Ｂ）が傘を開いた状態における第３開口部を外縁方向から見た図である。
【発明を実施するための形態】
【００２９】
以下に本発明の実施形態を図面と共に説明する。
［第１実施形態］
（１）全体構成
図１から図３に本実施形態の傘１を示す。傘１は、傘軸１１，石突１３，握柄１５，親骨１７，傘布１９，第１シート部２１，第２シート部２３，第３シート部２５，第４シート部２７などを有する。図１において親骨１７は全て傘布１９の裏側に表示されており視認できない状態となっているが、各構成要素との位置関係の理解を容易にするため実線で示している。
【００３０】
傘軸１１は金属製の円筒状の部材であって、一端に石突１３が設けられ、他端に握柄１５が設けられる。なお以下の記載においては、説明の便宜上、上記一端を傘の先端、他端を後端として記載する。
【００３１】
傘軸１１の先端側には、複数（本実施形態においては８本）の親骨１７が傘軸１１に設けられた図示しない上ロクロを介して傘軸１１に連結されている。親骨１７は上ロクロに設けられた回転軸に一端が連結されて、当該軸を中心として親骨１７の他端と傘軸１１との間の距離が変化するように回転変位可能となっている。
【００３２】
親骨１７は傘１の上方及び下方から見て傘軸１１を中心とした放射状となるように配置されている。また親骨１７は、図示しない支骨に連結されており、支骨は傘軸１１をスライド可能に外嵌された図示しない下ロクロに連結されている。そして、下ロクロをスライドさせると支骨の変位に応じて親骨１７が上述したように回転変位し、それにより傘１の開閉が実現する。
【００３３】
傘布１９は、傘軸１１を中心として拡がるように親骨１７に張り付けられている。より詳細には、傘布１９は親骨１７それぞれに対して親骨１７の先端を含む複数個所で固定されており、傘１を開いたときには傘布１９は親骨１７に伴って広がった状態となる。
【００３４】
傘布１９における傘１を差したときに上側となり雨が当たる側の表面である外側面には、第１シート部２１、第２シート部２３、及び第３シート部２５が設けられている。
なお以下の説明において、傘布１９の中心とは傘軸１１の近傍部分を指し、傘布１９の外縁とは傘１を開いた状態で傘軸１１から離れる側の縁部分を指すものとする。また、単に中心及び外縁と記載するときは、傘布１９の中心又は外縁を基準とする位置又は方向を指すものとする。
【００３５】
傘布１９は中心（傘軸１１の周辺側の端部）から外縁までの幅を有している。傘布１９は図３の状態においては傘布１９の中心は傘布１９の下端であり、傘布１９の外縁は傘布１９の上端部分となる。
【００３６】
第１シート部２１は、図１に示すように、傘布１９の外縁近傍において、隣接する２つの親骨１７の間を傘布１９に沿って設けられるシート状の部材である。
第１シート部２１はその端部の一部が傘布１９に接着されている。第１シート部２１における傘布１９の中心側の端部は、その大部分が傘布１９に接着されていない。その結果、第１シート部２１の上述した中心側には、傘布１９の外縁に沿う方向、言い換えると傘軸１１を中心とした円周方向に長さを有し、中心方向に向かって開く第１開口３３が形成される。
【００３７】
第１シート部２１の外縁側と親骨１７に沿った部分の端部は、傘布１９に接着されている接着領域２１ａとなっている。
接着領域２１ａにおける傘布１９の外縁側は、略直線状であって、図２に示すように、傘布１９の外縁に対して傾斜するように、言い換えると傘軸１１を鉛直とした状態において水平面に対して傾斜するように長さを有する。
【００３８】
また、第１シート部２１における両側の親骨１７に沿った端部は２箇所に存在するが、そのうち傘布１９の外縁に近い側、言い換えると鉛直方向下側に位置する側における傘布１９の外縁近傍部分は、傘布１９に接着されていない。それにより、その部分には第２開口３５が形成される。
【００３９】
このように構成された第１シート部２１と傘布１９とによって、第１開口３３及び第２開口３５有し、雨水を一時的に受ける第１水受け部５１が形成される。傘１を差しているとき、傘布１９に降った雨水は、傘布１９の中心から外縁に向かう方向に流れる。雨水は、図１及び図２にて矢印にて示すように、第１開口３３から第１水受け部５１に流入する。第１水受け部５１に流入した雨水は、第２開口３５から排出される。
【００４０】
なお第１シート部２１は、傘布１９において隣接した２箇所に、親骨１７を基準として対称となるように設けられている。
第２シート部２３は、傘布１９の中心の周辺において傘布１９に沿って設けられるシート状の部材である。第２シート部２３は、親骨１７に沿った部分と傘軸１１の周囲の部分において傘布１９に接着されている。一方、第２シート部２３における傘布１９の外縁方向の端部は接着されていない。その結果、第２シート部２３の外縁方向の端部には傘軸１１を中心とした円周方向に長さを有し、外縁に向かって開く第３開口３７が形成される。
【００４１】
第３シート部２５は、傘布１９の中心と外縁との中央部分において傘布１９に沿って設けられているシート状の部材である。第３シート部２５は、中心側の端部と親骨１７に沿った部分とは、傘布１９に接着された接着領域２５ａとなっている。
【００４２】
一方、第３シート部２５における傘布１９の外縁方向の端部は接着されていない。その結果、第３シート部２５の外縁方向の端部には、傘軸１１を中心とした円周方向に長さを有し、外縁に向かって開く第４開口３９が形成される。
【００４３】
傘布１９における第３シート部２５と重なる領域には、複数の貫通孔４１が形成されている。
第４シート部２７は、傘布１９に取り付けられるシート状の部材である。第４シート部２７は１つの親骨１７に沿った部分にて傘布１９に接着された接着領域２７ａとなっており、その部分から傘布１９に沿って拡がっている。第４シート部２７は、表側面に設けられた１つ以上（本実施形態では２つ）の面ファスナ４３と、裏側面に設けられた１つ以上（本実施形態では２つ）の面ファスナ４５と、を有する。
【００４４】
図４に、第４シート部２７にて傘１を覆った状態を示す。傘１を閉じた状態において接着領域２７ａとは反対側の端部２７ｂを掴み、第４シート部２７の裏側面が表となるように傘１に巻きつけ、面ファスナ４３と面ファスナ４５とを係合させると、第４シート部２７は傘１の傘布１９の中央部分から上方部分を覆うように固定される。
【００４５】
図５（Ａ）は、図３のＡ−Ａ断面図である。上述した第２シート部２３と傘布１９とによって、第３開口３７を有し、少なくとも傘を閉じた状態（図３に示す状態）において雨水を一時的に受ける袋状の第２水受け部５３が形成される。
【００４６】
傘１を閉じて石突１３を下にしたとき、傘布１９の外縁から中心（上から下）に向かって流れる雨水は、第３開口３７から第２水受け部５３に流入する。第２水受け部５３に流入した雨水は、傘１の石突１３を上方向にするとき、例えば傘１を差すときに第３開口３７から排出される。
【００４７】
図５（Ｂ）に、傘１を開いた状態における第３開口３７を外縁側から見た状態を示す。傘布１９は親骨１７に引っ張られた状態となるが、第２シート部２３は若干の緩みがある。即ち、円周方向に関して第２シート部２３は傘布１９よりもわずかに長く形成されている。そのため、傘１を閉じたときに上述した第２水受け部５３が形成されやすくなる。
【００４８】
なお、第３シート部２５も第２シート部２３と同様に、傘布１９と協働して第４開口３９を有し雨水を一時的に受ける第３水受け部５５を形成する。
（２）効果
本実施形態の傘１は、第１水受け部５１、第２水受け部５３、第３水受け部５５によって、傘布１９の表面を流れる水を受けることができ、それにより水の流れを制御して、傘の使用者が雨水により不快感を覚えることを抑制できる。
【００４９】
より具体的には、傘１を差しているとき、雨水は第１開口３３から第１水受け部５１に流入し、その雨水は第２開口３５から流出する。第１開口３３は、傘布１９の外縁部において傘軸１１を中心とする円周方向に広く形成されているため、傘布１９の表面を流れる雨水の大部分は第１水受け部５１に流れ込む。第１水受け部５１から雨水が流出する場所は第１開口３３に制限される。
【００５０】
よって、使用者は傘から滴る水を避けることが容易になり、服や荷物などが濡れてしまうことを抑制できる。
また接着領域２１ａの外縁側の部分は、傘軸１１を鉛直としたときに水平面に対して傾斜するように形成されているため、雨水が第１水受け部５１に必要以上に溜まることなくスムーズに排出される。
【００５１】
さらに、第１開口３３が傘布１９における外縁寄りの位置に配置されていることから、傘布１９に付着した水の多くを第１開口３３から第１水受け部５１へ流入させることができる。ここでいう外縁寄りの位置とは、傘布１９における傘軸１１側の端部と外縁側の端部との中央を基準位置として、その位置よりも外縁寄りの領域を指す。なお、この領域に第１開口３３の主たる部分が位置しておればよく、一部は傘軸１１側の領域に位置していてもよい。
【００５２】
また、傘１を閉じて石突１３を下にしているとき、雨水は第３開口３７から第２水受け部５３に流入する。そのため、傘１から滴る水の量を低減することができ、床などが濡れてしまうことを抑制できる。また、第３水受け部５５も同様の機能を有する。
【００５３】
さらに、第３開口３７が傘布１９における傘軸１１寄りの位置に配置されることから、傘布１９に付着した水の多くを第３開口３７から第２水受け部５３へ流入させることができる。この効果は特に第３水受け部５５が備えられていないときに顕著である。傘軸１１寄りの位置とは、上述した基準位置よりも傘軸１１寄りの領域を指す。この領域に第３開口３７の主たる部分が位置しておればよく、一部は外縁側の領域に位置していてもよい。
【００５４】
また、第２水受け部５３を構成する傘布１９と第２シート部２３との円周方向の長さを異ならせているため、第２シート部２３が傘布１９にぴったりとくっついてしまうことを抑制でき、水が流入するための開口が閉じてしまうことを抑制できる。
【００５５】
また第４シート部２７は、傘１を差している状態においてはその裏側面が水に濡れにくくなっている。よって、傘１を閉じた後に、第４シート部２７をその裏側面が表になるように傘布１９の周囲に巻き付けて覆うことで、傘１における雨水に濡れて露出した部分の面積を小さくできる。
【００５６】
また、貫通孔４１によって、傘１の空気抜きを実現することができる。例えば傘１が強風を受けたとき、親骨１７などに大きな荷重が加わる場合があるが、貫通孔４１から空気が抜けることでその荷重を低減できる。貫通孔４１の大きさ及び数は特に限定されない。
【００５７】
貫通孔４１は第３シート部２５に覆われているため、使用時でも貫通孔４１から水が内部に進入しにくい。また第３水受け部５５の内部空間の上端から距離を空けて設けることで、不使用時に第３水受け部５５に溜まった水が内部に進入しにくい。
【００５８】
（３）対応関係
本実施形態において、第１水受け部５１、第２水受け部５３及び第３水受け部５５が本発明における水受け部の一例であり、第１シート部２１、第２シート部２３及び第３シート部２５が本発明の請求項６におけるシート状の部材の一例であり、第３開口３７及び第４開口３９が請求項２における開口の一例である。
【００５９】
［その他の実施形態］
以上本発明の実施形態について説明したが、本発明は、上記実施形態に何ら限定されることはなく、本発明の技術的範囲に属する限り種々の形態をとり得ることはいうまでもない。
【００６０】
（ａ）上記実施形態の傘１では、各水受け部を形成する傘布１９と第１シート部２１、第２シート部２３及び第３シート部２５の素材については特に言及していないが、各シート部の少なくとも一部を傘布１９と比較して異なる剛性（柔軟性）を有するように構成してもよい。
【００６１】
このように構成された傘であれば、傘布１９と各シート部が異なる挙動をとりやすくなるため、傘布１９とシート部とが密着してしまい、各水受け部の開口が閉じてしまうことを抑制できる。
【００６２】
具体的には、傘布１９と各シート部とを異なる材質で構成するほか、各シート部の一部にワイヤーのように傘布１９とは剛性の異なる部材を取り付けることが考えられる。
（ｂ）第１シート部２１、第２シート部２３及び第３シート部２５の配置は、上記実施形態とは設けられる位置が相違していたり、傘軸１１を鉛直としたときの水平面に対する角度が相違していてもよい。
【００６３】
また、上記実施形態と比較して、各シート部の設けられる大きさや数が相違していてもよい。例えば第１シート部２１は１つ以上設けられていればよい。
なお、各シート部は全て設けられている必要はなく、例えば各シート部の何れか１つのみが設けられている構成としてもよい。
【００６４】
（ｃ）上記実施形態においては、第１水受け部５１、第２水受け部５３、及び第３水受け部５５は、第１シート部２１，第２シート部２３，第３シート部２５が傘布１９と協働して形成される構成を例示したが、その形状や素材は特に限定されない。
【００６５】
例えば第１シート部２１に変えて、柔軟性の高いゴムによって形成され、傘布１９の外縁部に沿って配置される、中心側に向かって開口を有する断面がコの字型のレール形状の部材を用いてもよい。
【００６６】
また、上記実施形態では傘布１９が袋状の部材の一部となっている構成を例示したが、傘布１９とは別の袋状の部材を準備し、その袋状の部材を傘布１９に取り付けることで各水受け部が構成されていてもよい。
【００６７】
（ｄ）第２水受け部５３や第３水受け部５５において、傘の上下を変えて開口を下向きにすることなく水を抜くことができる水抜き手段を設けてもよい。例えば開閉可能な排水口を形成しておき、必要に応じて排水口を開けて水を抜くことが可能とすることが考えられる。
【００６８】
（ｅ）上記各実施形態の傘にて用いた面ファスナは、他の構成に置き換えてもよい。例えばボタンなどの留め具や一般的なファスナ、ホック、フックなどを用いることが考えられる。
【００６９】
（ｆ）各水受け部に形成される開口の数や配置は特に限定されないが、水を水受け部に流入させる開口は円周方向に広く配置されていることが好ましい。
【符号の説明】
【００７０】
１…傘、１１…傘軸、１３…石突、１５…握柄、１７…親骨、１９…傘布、２１…第１シート部、２１ａ…接着領域、２３…第２シート部、２５…第３シート部、２５ａ…接着領域、２７…第４シート部、２７ａ…接着領域、２７ｂ…端部、３３…第１開口、３５…第２開口、３７…第３開口、３９…第４開口、４１…貫通孔、４３…面ファスナ、４５…面ファスナ、５１…第１水受け部、５１…第２水受け部、５３…第２水受け部、５５…第３水受け部。
【図１】
2016123726.tif 000003
【図２】
2016123726.tif 000004
【図３】
2016123726.tif 000005
【図４】
2016123726.tif 000006
【図５】
2016123726.tif 000007